(57)【特許請求の範囲】
【請求項１】
モータ本体（２）に連結され該モータ本体（２）の回転を減速する減速機構（８，１２）が収容されその出力軸が支持されるハウジング（１１）と、
前記ハウジング（１１）の開口を閉塞するハウジングカバー（１３）と、
前記ハウジング（１１）及び前記ハウジングカバー（１３）内に回転可能に設けられ前記出力軸の回転に連動して回転する回転体（１５）に所定のパターンを有して設けられた可動接点（３１）と、
前記可動接点（３１）と摺接可能に当接される接触部（２８ｂ〜３０ｂ）が設けられた固定接点部材（２８〜３０）を含む電気回路部品（２１〜３０）が固定され、前記ハウジングカバー（１３）内面に載置される電気絶縁材料よりなるユニットプレート（１４）と、
を備えたモータにおいて、
前記固定接点部材（２８〜３０）を前記ユニットプレート（１４）における前記可動接点（３１）との対向面側に配置するとともに、前記固定接点部材（２８〜３０）を除く前記電気回路部品（２１〜２７）を前記ユニットプレート（１４）における前記可動接点（３１）との非対向面側に配置し、該非対向面側に配置された前記電気回路部品（２１〜２７）に対応してその存在を前記可動接点（３１）との対向面側から視認可能な視認孔（１４ｈ）を前記ユニットプレート（１４）に形成したことを特徴とするモータ。
【請求項２】
請求項１に記載のモータにおいて、
前記ユニットプレート（１４）の前記非対向面側に少なくとも前記固定接点部材（２８〜３０）を除く前記電気回路部品（２１〜２５）を略収容する収容凹部（１４ｆ）を形成し、
少なくとも前記固定接点部材（２８〜３０）を除く前記電気回路部品（２１〜２５）及び前記ユニットプレート（１４）に、前記電気回路部品（２１〜２５）が前記収容凹部（１４ｆ）に挿入されることで係合して両部品を保持する係合保持部（１４ｆ，２１ｇ）を設けたことを特徴とするモータ。
【請求項３】
請求項１又は２に記載のモータにおいて、
前記電気回路部品（２１〜２７）は、雑音防止素子（２６，２７）を含み、
前記ユニットプレート（１４）は、前記雑音防止素子（２６，２７）を複数配置可能に形成され、
前記視認孔（１４ｈ）を、前記雑音防止素子（２６，２７）の各配置可能位置（１４ｇ）毎に形成したことを特徴とするモータ。
【請求項４】
請求項３に記載のモータにおいて、
前記ハウジングカバー（１３）には、前記ハウジング（１１）の開口を閉塞する閉塞方向の直交方向に略筒状に延び外部コネクタが嵌着されるコネクタハウジング部（１３ｂ）が形成され、
前記固定接点部材（２８〜３０）を除く前記電気回路部品（２１〜２７）は、前記モータ本体（２）に設けられる給電用ブラシに対して接続されるモータ接続部（２１ａ，２２ａ）と、前記コネクタハウジング部（１３ｂ）内に導出され前記外部コネクタの端子に接続されるコネクタピン部（２１ｂ，２２ｂ）と、前記モータ接続部（２１ａ，２２ａ）と前記コネクタピン部（２１ｂ，２２ｂ）とを接続するリード部（２１ｃ，２２ｃ）とを有する平板状金属板にて形成された電源側ターミナル（２１，２２）を含み、
前記リード部（２１ｃ，２２ｃ）に、挿入されることで前記雑音防止素子（２６，２７）の端子を挟持するスリット部（２１ｅ，２２ｅ）を形成したことを特徴とするモータ。
【請求項５】
請求項１乃至４のいずれか１項に記載のモータにおける前記出力軸からの回転出力によってワイパアームを往復動作させ、前記可動接点（３１）と前記固定接点部材（２８〜３０）との接触／非接触により、前記ワイパアームを車両ウインドウの所定の停止位置で停止させることを特徴とするワイパ用モータ。
【発明の詳細な説明】
【０００１】
【発明の属する技術分野】
本発明は、減速機構を有するモータ及びワイパ用モータに関する。
【０００２】
【従来の技術】
従来、車両用ワイパ装置等に用いられるモータとしては、減速機構及び出力軸が支持される（ギヤ）ハウジングとハウジングカバーとを備えるとともに、出力軸の回転に連動して回転する可動接点や、可動接点と摺接可能とされた固定接点や、ターミナルや雑音防止素子等の電気回路部品を備えたものがある。そして、このようなモータとしては、ハウジングカバーの外側面（ハウジングと反対側の外面）に収容部を形成し、その収容部にターミナルや雑音防止素子等を収容してハウジングカバーの内側面に配置される可動接点や固定接点との絶縁性を確保させたものがある（例えば、特許文献１参照。）。
【０００３】
【特許文献１】
特開平７−２４５９０４号公報
【０００４】
【発明が解決しようとする課題】
しかしながら、このようなモータでは、収容部を閉塞するためのカバーが必要となり、更にカバーはシール剤の塗布等による水密性の確保も必要となる。
【０００５】
これに対して、ハウジング及びハウジングカバー内部に、前記電気回路部品等を備えたユニット（ユニットプレート）を収容したものがある。しかしながら、このようなモータでは、モータの小型化を図る上でユニットプレートと可動接点の間隔が狭くなってしまい、ターミナル等と動く部材である可動接点との絶縁性の信頼性確保が困難となってきている。
【０００６】
本発明の目的は、電気回路部品が固定されたユニットプレートと可動接点とを備えたモータ及びワイパ用モータにおいて、小型化を図りながら、絶縁性を確保することができるモータ及びワイパ用モータを提供することにある。
【０００７】
【課題を解決するための手段】
請求項１に記載の発明は、モータ本体に連結され該モータ本体の回転を減速する減速機構が収容されその出力軸が支持されるハウジングと、前記ハウジングの開口を閉塞するハウジングカバーと、前記ハウジング及び前記ハウジングカバー内に回転可能に設けられ前記出力軸の回転に連動して回転する回転体に所定のパターンを有して設けられた可動接点と、前記可動接点と摺接可能に当接される接触部が設けられた固定接点部材を含む電気回路部品が固定され、前記ハウジングカバー内面に載置される電気絶縁材料よりなるユニットプレートと、を備えたモータにおいて、前記固定接点部材を前記ユニットプレートにおける前記可動接点との対向面側に配置するとともに、前記固定接点部材を除く前記電気回路部品を前記ユニットプレートにおける前記可動接点との非対向面側に配置し、該非対向面側に配置された前記電気回路部品に対応してその存在を前記可動接点との対向面側から視認可能な視認孔を前記ユニットプレートに形成した。
【０００８】
請求項２に記載の発明は、請求項１に記載のモータにおいて、前記ユニットプレートの前記非対向面側に少なくとも前記固定接点部材を除く前記電気回路部品を略収容する収容凹部を形成し、少なくとも前記固定接点部材を除く前記電気回路部品及び前記ユニットプレートに、前記電気回路部品が前記収容凹部に挿入されることで係合して両部品を保持する係合保持部を設けた。
【００１０】
請求項３に記載の発明は、請求項１又は２に記載のモータにおいて、前記電気回路部品は、雑音防止素子を含み、前記ユニットプレートは、前記雑音防止素子を複数配置可能に形成され、前記視認孔を、前記雑音防止素子の各配置可能位置毎に形成した。
【００１１】
請求項４に記載の発明は、請求項３に記載のモータにおいて、前記ハウジングカバーには、前記ハウジングの開口を閉塞する閉塞方向の直交方向に略筒状に延び外部コネクタが嵌着されるコネクタハウジング部が形成され、前記固定接点部材を除く前記電気回路部品は、前記モータ本体に設けられる給電用ブラシに対して接続されるモータ接続部と、前記コネクタハウジング部内に導出され前記外部コネクタの端子に接続されるコネクタピン部と、前記モータ接続部と前記コネクタピン部とを接続するリード部とを有する平板状金属板にて形成された電源側ターミナルを含み、前記リード部に、挿入されることで前記雑音防止素子の端子を挟持するスリット部を形成した。
【００１２】
請求項５に記載の発明は、請求項１乃至４のいずれか１項に記載のモータにおける前記出力軸からの回転出力によってワイパアームを往復動作させ、前記可動接点と前記固定接点部材との接触／非接触により、前記ワイパアームを車両ウインドウの所定の停止位置で停止させるワイパ用モータを要旨とする。
【００１３】
（作用）
請求項１に記載の発明によれば、固定接点部材を除く電気回路部品は、ユニットプレートにおける可動接点との非対向面側に配置される。よって、ユニットプレートと可動接点の間隔を狭くすることなどによりモータの小型化を図っても、簡単な構成で、固定接点部材を除く電気回路部品と動く部材である可動接点との絶縁性を確保することができる。また、ユニットプレートには、非対向面側に配置された前記電気回路部品に対応してその存在を可動接点との対向面側から視認可能な視認孔が形成されるため、ユニットプレートをハウジングカバーに載置した状態で前記電気回路部品の存在を視認することができる。
【００１４】
請求項２に記載の発明によれば、少なくとも固定接点部材を除く電気回路部品がユニットプレートの収容凹部に挿入されることで、その電気回路部品及びユニットプレートに設けた係合保持部が係合して両部品を互いに保持することができる。よって、少なくとも固定接点部材を除く電気回路部品を容易に組み付けることができる。
【００１５】
請求項３に記載の発明によれば、ユニットプレートをハウジングカバーに載置した状態で雑音防止素子の存在を視認することができる。
【００１６】
また、視認孔は雑音防止素子がそれぞれ配置可能とされる位置毎に形成されるため、雑音防止素子毎に容易に視認することができる。
【００１７】
請求項４に記載の発明によれば、平板状金属板にて形成される電源側ターミナルのリード部には、挿入されることで雑音防止素子の端子を挟持するスリット部が形成されるため、半田等による溶接固定を不要として、雑音防止素子を容易に接続固定することができる。
【００１８】
請求項５に記載の発明によれば、前記出力軸からの回転力によってワイパアームを往復動作させるワイパ用モータにおいて、請求項１乃至４のいずれか１項に記載の発明の効果を得ることができる。
【００１９】
【発明の実施の形態】
以下、本発明を車両用ワイパ装置のワイパ用モータに具体化した一実施形態を図１〜図１２に従って説明する。
【００２０】
図１に示すように、モータ１は、モータ本体２と減速部３とを備えている。モータ本体２は、略有底円筒形状のヨークハウジング４と、該ヨークハウジング４の内周面に固定される複数のマグネット５と、同ヨークハウジング４内に収容されるロータ（回転子）６とを備えている。ロータ６は回転軸７を有し、ヨークハウジング４の開口部から突出する回転軸７の先端側には、ウォーム８が形成されている。
【００２１】
減速部３は、ハウジング１１（図２参照）と、ウォームホイール１２と、ハウジングカバー１３と、ユニットプレート１４（図６参照）と、回転体１５（図３参照）とを備えている。尚、本実施の形態では、ウォーム８とウォームホイール１２が減速機構、詳しくは１段ウォーム減速機構を構成している。図２に示すように、ハウジング１１には、前記ウォーム８を収容するためのウォーム収容凹部１１ａと、ウォーム収容凹部１１ａと連通するホイール収容凹部１１ｂが形成されている。又、ハウジング１１において、ホイール収容凹部１１ｂの内周壁の所定部分が後述する被係合壁１１ｃを構成している。そして、ウォーム収容凹部１１ａ内にはウォーム８が収容され、ホイール収容凹部１１ｂ内にはウォーム８に噛合されるウォームホイール１２が回転可能に収容される。尚、図２は、ハウジングカバー１３が取り外され、ウォーム８及びウォームホイール１２が配設されていないハウジング１１を示す。又、ウォームホイール１２と一体回転可能に固定された図示しない出力軸は、ハウジング１１の中央に形成された貫通孔１１ｄを貫通して外部に突出される。そして、ウォームホイールの出力軸は図示しないリンク機構等を介してワイパアーム（ワイパブレード）に連結される。
【００２２】
ハウジングカバー１３は、図４に示すように、樹脂材料よりなり、略板形状で、ハウジング１１（ウォーム収容凹部１１ａ及びホイール収容凹部１１ｂ）の開口部を閉塞可能な形状に形成されている。ハウジングカバー１３には、前記ユニットプレート１４を収容するためのユニット収容凹部１３ａが形成されている。又、ハウジングカバー１３において、モータ本体２が固定される側の反対側の斜めホイール収容凹部１１ｂ（図２参照）と対応した側（図４中、左斜め下側）には、回転軸７（ウォーム８）の軸線α方向に対してウォームホイール１２側に傾斜した軸線β１方向に向けてコネクタハウジング部１３ｂが延出形成されている。
【００２３】
コネクタハウジング部１３ｂは、前記ユニット収容凹部１３ａの底部と連通し、ハウジングカバー１３の閉塞方向（図４中、紙面直交方向）の直交方向（図４中、左斜め下方向、つまり後述するコネクタピン部の導出方向（ユニットプレート１４のスライド方向）の軸線β２方向）に筒状に延び図示しない外部コネクタが嵌着可能に形成されている。そして、前記ユニット収容凹部１３ａの内周壁の一部は、前記コネクタハウジング部１３ｂの延設方向（図４中、軸線β２方向）と平行に長く形成された後述する第１及び第２ガイド壁１３ｃ，１３ｄとされている。又、ハウジングカバー１３において、前記モータ本体２が固定される側（図４中、右側）には、カバー側仮保持部１３ｅが形成されている。カバー側仮保持部１３ｅは、図５に示すように、前記コネクタハウジング部１３ｂの延設方向（図４中、軸線β２方向）の直交方向の断面が略コ字状に形成されている。
【００２４】
ユニットプレート１４は、電気絶縁材料（樹脂材）よりなり、図６に示すように、前記ユニット収容凹部１３ａと対応した略直方体形状に形成され、後述する種々の電気回路部品が固定される。
【００２５】
ユニットプレート１４には、前記回転体１５を回転可能に支持するための回転支持部が設けられている。本実施の形態の回転支持部は、ユニットプレート１４の長手方向（図６中、左右方向であって、軸線γ方向）中央部から長手方向の直交方向（図６中、下方向）にオフセットして延設形成され、図６及び図１１に示すように、立設された支軸１４ａと、支軸１４ａの回りに囲繞して形成される周壁部１４ｂとを有する。
【００２６】
又、本実施の形態では、ユニットプレート１４の短手方向一端（図６中、上端）の面である第１面Ｓ１と、短手方向他端（周壁部１４ｂが形成された側端であって、図６中、下端）の面である第２面Ｓ２とが平行となるように形成されている。又、本実施の形態においては、第１面Ｓ１と第２面Ｓ２とはユニットプレート１４の長手方向の軸線γと平行に設定されている。そして、前記第１面Ｓ１と第２面Ｓ２との間隔は、前記ハウジングカバー１３のユニット収容凹部１３ａにおける前記第１ガイド壁１３ｃと第２ガイド壁１３ｄの間隔と同じに設定されている。又、前記第１面Ｓ１の長さは前記第１ガイド壁１３ｃの長さより短く、前記第２面Ｓ２の長さは前記第２ガイド壁１３ｄの長さより短く設定されている。即ち、ユニットプレート１４は、図９及び図１０に示すように、前記ユニット収容凹部１３ａに収容された状態で、第１面Ｓ１と第１ガイド壁１３ｃとが当接するとともに第２面Ｓ２と第２ガイド壁１３ｄとが当接するように形成されている。尚、このとき、本実施の形態においては、ユニットプレート１４の長手方向の軸線γとコネクタハウジング部１３ｂの延設形成方向の軸線β２とは平行に配置されている。又、ユニットプレート１４は、図９及び図１０に示すように、ユニット収容凹部１３ａに収容された状態で、第１及び第２ガイド壁１３ｃ，１３ｄに案内されて（沿って）ハウジングカバー１３の閉塞方向の直交方向（コネクタハウジング部１３ｂの延設形成方向の軸線β２方向）にスライド移動可能とされている。
【００２７】
又、ユニットプレート１４には、前記第１及び第２ガイド壁１３ｃ，１３ｄによる案内終端位置において、前記カバー側仮保持部１３ｅと係合して前記ユニットプレート１４と前記ハウジングカバー１３とを仮保持するためのユニット側仮保持部１４ｃを有している。尚、ここで言う仮保持とは、ユニットプレート１４とハウジングカバー１３とを組み付けただけの状態（ハウジングカバー１３をハウジング１１に組付ける前の状態）において搬送等を行っても、その組付けが外れない程度の保持のことである。本実施の形態のユニット側仮保持部１４ｃは、図９及び図１０に示すように、前記カバー側仮保持部１３ｅと対応した位置において、弾性変形可能に延設され、その先端に爪部１４ｄが形成されてなる。即ち、ユニット側仮保持部１４ｃは、ユニットプレート１４を第１及び第２ガイド壁１３ｃ，１３ｄに案内させて移動させたとき、まず撓むことで爪部１４ｄをカバー側仮保持部１３ｅ内に挿入可能とするように構成されている。更にユニット側仮保持部１４ｃは、ユニットプレート１４を第１及び第２ガイド壁１３ｃ，１３ｄに案内させて案内終端位置（爪部１４ｄがカバー側仮保持部１３ｅを通過した直後）まで移動させることで、撓みが解除され爪部１４ｄがカバー側仮保持部１３ｅと係合してその抜け止めをなすように構成されている。そして、ユニットプレート１４のコネクタハウジング部１３ｂ側端部は、前記案内終端位置において、前記コネクタハウジング部１３ｂに嵌挿されるように形成されている。よって、ユニットプレート１４は、第１及び第２ガイド壁１３ｃ，１３ｄに案内させて案内終端位置まで移動させると、ハウジングカバー１３に対して不用意に脱落しないよう、より具体的には、ハウジングカバー１３の閉塞方向（図１０中、紙面直交方向）及び案内方向（図１０中、左斜め下方向であって、前記軸線β２方向）の移動が規制されて仮保持される。
【００２８】
又、ユニットプレート１４には、ユニットプレート１４が保持（仮保持）されたハウジングカバー１３にてハウジング１１の開口を閉塞することでハウジング１１の前記被係合壁１１ｃ（図２参照）と係合し、ユニットプレート１４の案内方向の移動を阻止する係合壁１４ｅが設けられている。本実施の形態の係合壁１４ｅは、図１０に示すように、第１及び第２ガイド壁１３ｃ，１３ｄによる案内終端位置において、前記コネクタハウジング部１３ｂに隣接して形成されている。係合壁１４ｅは、ハウジングカバー１３にてハウジング１１の開口を閉塞した際、前記被係合壁１１ｃを挟むように一対形成されている。よって、ユニットプレート１４は、ハウジングカバー１３をハウジング１１に組付けると、前記案内方向（図１０中、左斜め下方向であって、前記軸線β２方向）の移動が強固に規制されて保持される。
【００２９】
本実施の形態における前記電気回路部品は、図６及び図７に示すように、第１及び第２電源側ターミナル２１，２２、第１〜第３固定接点ターミナル２３〜２５、及び雑音防止素子としての第１及び第２コンデンサ２６，２７、第１〜第３固定接点部材２８〜３０を含む。そして、第１〜第３固定接点部材２８〜３０を除く前記電気回路部品２１〜２７は、前記ユニットプレート１４のハウジングカバー１３と対向される面側に配置される。
【００３０】
詳しくは、第１及び第２電源側ターミナル２１，２２は、その一端がモータ本体２に設けられる図示しない給電用ブラシに対して接続され他端が前記コネクタハウジング部１３ｂに嵌着される外部コネクタの端子に接続されるものである。
【００３１】
本実施の形態の第１電源側ターミナル２１は、図８に示すように、平板状金属板にて形成され、前記一端であるモータ接続部２１ａと、前記他端であり前記コネクタハウジング部１３ｂ内に導出されるコネクタピン部２１ｂと、モータ接続部２１ａとコネクタピン部２１ｂとを接続するリード部２１ｃとを有する。第１電源側ターミナル２１のコネクタピン部２１ｂ（他端）側には、図８（ａ）（ｂ）に示すように、ユニットプレート１４の一部と係合される係合支持部としてのクランク状のクランク部２１ｄが屈曲形成されている。又、第１電源側ターミナル２１のリード部２１ｃには挿入されることで前記雑音防止素子（第１及び第２コンデンサ２６，２７）の端子を挟持（固定）可能なスリット部２１ｅが形成されている。尚、本実施の形態では、リード部２１ｃの平面に対して屈曲して起こされた立設部２１ｆの先端から切り込みが形成されることでスリット部２１ｅが形成されている。又、第１電源側ターミナル２１の両端側には、それぞれ平板状金属板の幅方向に突出したスパイク部２１ｇが形成されている。尚、第２電源側ターミナル２２については、第１電源側ターミナル２１と略同様の構成である（モータ接続部２２ａ、コネクタピン部２２ｂ、リード部２２ｃ、クランク部、スリット部２２ｅ、スパイク部を有するものである）ため、詳細な図は省略する。
【００３２】
第１〜第３固定接点ターミナル２３〜２５は、その一端がユニットプレート１４の中間部に配置され他端が前記コネクタハウジング部１３ｂに嵌着される外部コネクタの端子に接続されるものである。本実施の形態の第１〜第３固定接点ターミナル２３〜２５は、平板状金属板にて形成され、前記一端である固定接点接続部２３ａ〜２５ａ（図６参照）と、前記他端であり前記コネクタハウジング部１３ｂ内に導出されるコネクタピン部２３ｂ〜２５ｂと、それらを接続するリード部とを有する。尚、第１〜第３固定接点ターミナル２３〜２５には、前記第１及び第２電源側ターミナル２１，２２と同様のスパイク部が形成されている。又、第１固定接点ターミナル２３には、前記第１及び第２電源側ターミナル２１，２２のスリット部２１ｅ，２２ｅと対応した位置まで延びる延設部２３ｃが形成され、該延設部２３ｃには同様のスリット部２３ｄが形成されている。
【００３３】
一方、ユニットプレート１４のハウジングカバー１３と対向される面側には、図７に示すように、第１及び第２電源側ターミナル２１，２２及び第１〜第３固定接点ターミナル２３〜２５を収容可能な収容凹部１４ｆが形成されている。尚、本実施の形態では、収容凹部１４ｆ及び各電気回路部品２１〜２５のスパイク部２１ｇが係合保持部を構成している。そして、第１及び第２電源側ターミナル２１，２２及び第１〜第３固定接点ターミナル２３〜２５は、収容凹部１４ｆに挿入されて前記各スパイク部２１ｇが収容凹部１４ｆの内壁に係合する（嵌る）ことで保持されている。尚、この状態で第１及び第２電源側ターミナル２１，２２及び第１〜第３固定接点ターミナル２３〜２５のコネクタピン部２１ｂ〜２５ｂは、ユニットプレート１４のコネクタハウジング部１３ｂ側端部から突出する。
【００３４】
第１及び第２コンデンサ２６，２７は、給電用ブラシ側で発生されるノイズを除去（減衰）するためのものである。ユニットプレート１４のハウジングカバー１３と対向される面側には、図７に示すように、第１及び第２コンデンサ２６，２７を収容可能な配置可能位置としての雑音防止素子収容凹部１４ｇが形成されている。本実施の形態では、それぞれにコンデンサを収容可能な雑音防止素子収容凹部１４ｇが３つ形成されている。又、ユニットプレート１４の各雑音防止素子収容凹部１４ｇの底面には、ユニットプレート１４のハウジングカバー１３と対向されない面側から第１及び第２コンデンサ２６，２７の存在を視認可能な視認孔１４ｈが形成されている。そして、第１及び第２コンデンサ２６，２７は、２つの雑音防止素子収容凹部１４ｇに挿入されると、その端子が前記第１及び第２電源側ターミナル２１，２２のスリット部２１ｅ，２２ｅ及び第１固定接点ターミナル２３のスリット部に挟持されることで保持されている。尚、本実施の形態では、雑音防止素子収容凹部１４ｇが３つ形成され、スリット部２１ｅ，２２ｅがそれぞれ２つ形成されるとしながら、雑音防止素子収容凹部１４ｇを２つと、スリット部２１ｅ，２２ｅをそれぞれ１つしか用いない仕様のモータ１とされている。即ち、本実施の形態のモータ１は、コンデンサを３つ備えた仕様のものに対応可能に構成されている。
【００３５】
又、前記第１及び第２電源側ターミナル２１，２２、第１〜第３固定接点ターミナル２３〜２５、及び第１及び第２コンデンサ２６，２７は、ユニットプレート１４がハウジングカバー１３に組付けられた状態で、ハウジングカバー１３と係合し（その一部が当接し）、その脱落や振動が防止されるようになっている。
【００３６】
前記第１〜第３固定接点部材２８〜３０は、図６に示すように、平板状金属板にて形成され、一端であり前記第１〜第３固定接点ターミナル２３〜２５の固定接点接続部２３ａ〜２５ａに接続される支持部２８ａ〜３０ａと、他端である接触部２８ｂ〜３０ｂと、それらを接続するレバー部２８ｃ〜３０ｃとからなる。レバー部２８ｃ〜３０ｃは、弾性を有し、ユニットプレート１４の平面から突出する方向の斜めに延びて形成されている。接触部２８ｂ〜３０ｂのうち接触部２９ｂは、前記ユニットプレート１４の平面から突出する方向に半球状に張り出されて形成されている。又、接触部２８ｂ〜３０ｂのうち接触部２８ｂ，３０ｂは、接点の検出精度を接触部２９ｂよりも向上させるためにレバー部２８ｃ，３０ｃの先端に比較的細い導電性ピンが固定されてなる。この第１〜第３固定接点部材２８〜３０は、互いに平行に配設されるとともに、その接触部２８ｂ〜３０ｂが前記支軸１４ａから径方向に延びる一直線上に並ぶように配設される。
【００３７】
上記のように構成されたユニットプレート１４は、まず図９に示すように、ハウジングカバー１３のユニット収容凹部１３ａに上方（前記閉塞方向であって、図９中、紙面手前方向）から挿入され、ハウジングカバー１３の内面に挿入され載置される。尚、このとき前記第１及び第２電源側ターミナル２１，２２及び第１〜第３固定接点ターミナル２３〜２５のコネクタピン部２１ｂ〜２５ｂが前記コネクタハウジング部１３ｂと衝突しないように、且つユニット側仮保持部１４ｃがカバー側仮保持部１３ｅと衝突しないようにユニットプレート１４が挿入される。又、このときユニットプレート１４の前記第１及び第２面Ｓ１，Ｓ２は、前記ハウジングカバー１３の第１及び第２ガイド壁１３ｃ，１３ｄと当接される。
【００３８】
次にユニットプレート１４は、第１及び第２ガイド壁１３ｃ，１３ｄに案内されて（沿って）ハウジングカバー１３の閉塞方向の直交方向（図９中、左斜め下方向であって、前記軸線β２方向）にスライド移動される。そして、ユニットプレート１４が案内終端位置（図１０に示す位置）まで移動させると、ユニット側仮保持部１４ｃの爪部１４ｄがカバー側仮保持部１３ｅと係合してその抜け止めがなされる。更に、ユニット側仮保持部１４ｃの中間部とカバー側仮保持部１３ｅが前記閉塞方向（図１０中、紙面直交方向）に係合することと、ユニットプレート１４のコネクタハウジング部１３ｂ側端部がコネクタハウジング部１３ｂに嵌挿されることから、前記閉塞方向の移動が規制される。よって、ユニットプレート１４はハウジングカバー１３に仮保持される。又、このとき前記第１及び第２電源側ターミナル２１，２２及び第１〜第３固定接点ターミナル２３〜２５のコネクタピン部２１ｂ〜２５ｂは、コネクタハウジング部１３ｂ内に導出される。
【００３９】
前記ユニットプレート１４の回転支持部（支軸１４ａ及び周壁部１４ｂ）には、図１１に示すように、回転体１５が回転可能に支持される。詳しくは、回転体１５は、図３及び図１１に示すように、略円盤状の円盤部１５ａと、該円盤部１５ａの中心から略有底筒形状に突出しその底部中央に軸孔１５ｂが形成された軸部１５ｃとを有する。この円盤部１５ａの下面１５ｄ（軸部１５ｃが突出する側の面）には、所定のパターンを有する可動接点３１（図３中、破線で示す）が固定されている。そして、回転体１５は、図１１に示すように、軸孔１５ｂに支軸１４ａが挿通されるとともに軸部１５ｃの筒部が周壁部１４ｂに内嵌され、その状態で支軸１４ａに抜け止め部材（ワッシャ等）３２が固定されることで回転可能に支持される。尚、このとき、円盤部１５ａの下面１５ｄ（可動接点３１）には、前記第１〜第３固定接点部材２８〜３０の接触部２８ｂ〜３０ｂがレバー部２８ｃ〜３０ｃの弾性により押圧接触される。
【００４０】
上記のようにユニットプレート１４及び回転体１５が固定されたハウジングカバー１３は、ハウジング１１に固定され、ハウジング１１（ウォーム収容凹部１１ａ及びホイール収容凹部１１ｂ）の開口部を閉塞する。尚、このとき、ユニットプレート１４の一対の係合壁１４ｅ間には、前記ハウジング１１の被係合壁１１ｃが嵌合される。これによりユニットプレート１４の前記閉塞方向の直交方向（前記案内方向）の移動は強固に規制される。又、このとき、前記回転体１５は、その上面１５ｅ（前記ウォームホイール１２と対向する側の面）に設けられた連結凸部１５ｆとウォームホイール１２に設けられた図示しない連結凸部が係合することにより、ウォームホイール１２（出力軸）と一体回転可能に連結される。
【００４１】
次に、車両に組み付けられた上記（ワイパ用）モータ１の電気的な配線を図１２に従って説明する。
第１及び第２電源側ターミナル２１，２２は、そのモータ接続部２１ａ，２２ａがモータ本体２の給電用ブラシ（高速用と低速用）にそれぞれ接続され、そのコネクタピン部２１ｂ，２２ｂが車両運転席に設けられた切換スイッチ４１にそれぞれ接続されている。尚、本実施の形態では、第２電源側ターミナル２２のモータ接続部２２ａと低速用の給電用ブラシとの間には、モータ本体２の図示しないブラシホルダ部材に配置されたチョークコイルＣが直列接続されている。
【００４２】
第１固定接点ターミナル２３のコネクタピン部２３ｂは、グランドに接続されている。又、モータ本体２のグランド用ブラシは、グランドに接続されている。第２及び第３固定接点ターミナル２４，２５のコネクタピン部２４ｂ，２５ｂは、前記切換スイッチ４１にそれぞれ接続されている。又、第３固定接点ターミナル２５のコネクタピン部２５ｂは電源Ｅ（車両のバッテリ）に接続されている。
【００４３】
切換スイッチ４１は、モータ１を停止させるための停止位置Ｐ１と、モータ１を低速で作動させるための低速位置Ｐ２と、モータ１を高速で作動させるための高速位置Ｐ３とを有する。そして、切換スイッチ４１は、停止位置Ｐ１においては、第２電源側ターミナル２２と、第２固定接点ターミナル２４を接続する。又、切換スイッチ４１は、低速位置Ｐ２においては、第２電源側ターミナル２２を電源Ｅに接続するとともに第３固定接点ターミナル２５に接続する。又、切換スイッチ４１は、高速位置Ｐ３においては、第１電源側ターミナル２１を電源Ｅに接続するとともに第３固定接点ターミナル２５に接続する。
【００４４】
このように構成されたモータ１では、切換スイッチ４１が低速位置Ｐ２に切換えられると、低速用の給電用ブラシが電源Ｅに接続されるため、モータ１は低速で作動する。即ち、ウォームホイール１２及び回転体１５が、低速で回転する。よって、リンク機構等を介してワイパアーム（ワイパブレード）が低速で払拭動作（往復動作）される。
【００４５】
又、切換スイッチ４１が高速位置Ｐ３に切換えられると、高速用の給電用ブラシが電源Ｅに接続されるため、モータ１は高速で作動する。即ち、ウォームホイール１２及び回転体１５が、高速で回転する。よって、リンク機構等を介してワイパアーム（ワイパブレード）が高速で払拭動作（往復動作）される。
【００４６】
そして、切換スイッチ４１が低速位置Ｐ２又は高速位置Ｐ３から停止位置Ｐ１に切換えられると、低速用の給電用ブラシ（第２電源側ターミナル２２）と第２固定接点ターミナル２４とが接続される。このとき、可動接点３１（ウォームホイール１２）が、所定角度位置（接触部２８ｂ，２９ｂを接続する位置）にあると、低速用の給電用ブラシに接続された第２固定接点ターミナル２４は、第１固定接点ターミナル２３を介してグランド用ブラシ及びグランドに接続される（図１２参照）ため、モータ１は停止する。又、このとき、可動接点３１（ウォームホイール１２）が、前記所定角度位置になく、接触部２９ｂ，３０ｂを接続する位置にあると、低速用の給電用ブラシに接続された第２固定接点ターミナル２４は電源Ｅに接続される。よって、モータ１は低速で作動する。そして、可動接点３１（ウォームホイール１２）が、前記所定角度位置まで回転すると、低速用の給電用ブラシに接続された第２固定接点ターミナル２４は、第１固定接点ターミナル２３を介してグランド用ブラシ及びグランドに接続される（図１２参照）ため、モータ１は停止する。尚、可動接点３１（ウォームホイール１２）が、前記所定角度位置にあるとき（図１２に示す状態にあるとき）、ワイパアーム（ワイパブレード）は、フロントウインドウの下端に沿った所定の停止位置となるように設定されている。よって、切換スイッチ４１を低速位置Ｐ２又は高速位置Ｐ３から停止位置Ｐ１に切換えると、ワイパアーム（ワイパブレード）は、フロントウインドウの下端に沿った所定の停止位置まで移動してから自動的に停止する。
【００４７】
次に、上記実施の形態の特徴的な作用効果を以下に記載する。
（１）第１〜第３固定接点部材２８〜３０を除く電気回路部品２１〜２７は、ユニットプレート１４のハウジングカバー１３と対向される面側、即ち可動接点３１との非対向面側に配置される。よって、ユニットプレート１４と可動接点３１の間隔を狭くすることなどによりモータ１の小型化（薄型化）を図っても、簡単な構成で、第１〜第３固定接点部材２８〜３０を除く電気回路部品２１〜２７と動く部材である可動接点３１との干渉が防止されるとともに絶縁性を確保することができる。例えば、車両の振動等により可動接点３１とユニットプレート１４との距離が若干ずれたとしても、可動接点３１と前記電気回路部品２１〜２７との絶縁性は確実に確保される。
【００４８】
（２）ユニットプレート１４に第１〜第３固定接点部材２８〜３０と第１及び第２コンデンサ２６，２７を除く電気回路部品（即ち第１及び第２電源側ターミナル２１，２２と第１〜第３固定接点ターミナル２３〜２５）を収容可能な収容凹部１４ｆを形成した。又、前記電気回路部品２１〜２５に平板状金属板の幅方向に突出したスパイク部２１ｇを形成した。そして、前記電気回路部品２１〜２５が収容凹部１４ｆに挿入されることで前記電気回路部品２１〜２５のスパイク部２１ｇとユニットプレート１４の収容凹部１４ｆとが係合され両部品が保持されるようにした。よって、前記電気回路部品２１〜２５を容易に組み付けることができる。
【００４９】
（３）ユニットプレート１４（雑音防止素子収容凹部１４ｇ）には、ハウジングカバー１３と対向されない面側、即ち可動接点３１との対向面側から第１及び第２コンデンサ２６，２７の存在を視認可能な視認孔１４ｈが形成される。よって、例えばユニットプレート１４の電気回路部品２１〜２７が配置された面をハウジングカバー１３の内面に対向させて上記電気回路部品２１〜２７をユニットプレート１４とハウジングカバー１３の内面とで挟持するようにユニットプレート１４をハウジングカバー１３に固定した状態において、第１及び第２コンデンサ２６，２７の存在を視認（確認）することができる。又、視認孔１４ｈは雑音防止素子収容凹部１４ｇ毎（コンデンサ毎）に形成されるため、実際に収容されたコンデンサの個数等を容易に視認（把握）することができる。例えば、本実施の形態では、コンデンサを２つ（第１及び第２コンデンサ２６，２７を）備えた仕様のモータ１としたが、同一形状のユニットプレート１４にコンデンサを３つ備えた（３つの雑音防止素子収容凹部１４ｇ全てにコンデンサが収容された）仕様のモータと、ユニットプレート１４をハウジングカバー１３に固定した状態で容易に区別することができる。
【００５０】
（４）平板状金属板にて形成される第１及び第２電源側ターミナル２１，２２において、そのモータ接続部２１ａ，２２ａとコネクタピン部２１ｂ，２２ｂとを接続するリード部２１ｃ，２２ｃには、挿入されることで第１及び第２コンデンサ２６，２７の端子を挟持可能なスリット部２１ｅ，２２ｅが形成される。よって、半田等による溶接固定を不要として、第１及び第２コンデンサ２６，２７（雑音防止素子）を容易に接続固定することができる。
【００５１】
（５）第１及び第２電源側ターミナル２１，２２、第１〜第３固定接点ターミナル２３〜２５、及び第１及び第２コンデンサ２６，２７を、ユニットプレート１４がハウジングカバー１３に組付けられた状態で、ハウジングカバー１３と係合し（その一部が当接し）、その脱落が防止されるようにした。よって、第１〜第３固定接点部材２８〜３０を除く電気回路部品２１〜２７の脱落を、特に別部材を設けることなく防止することができる。
【００５２】
（６）ユニットプレート１４には、可動接点３１と摺接可能に当接される接触部２８ｂ〜３０ｂが形成された第１〜第３固定接点部材２８〜３０が固定されるとともに、可動接点３１が設けられた回転体１５を回転可能に支持するための回転支持部（支軸１４ａ及び周壁部１４ｂ）が形成されている。よって、可動接点３１と第１〜第３固定接点部材２８〜３０との位置関係が、ユニットプレート１４の組付けに伴う誤差の影響を受けることがない。これにより、可動接点３１と第１〜第３固定接点部材２８〜３０とによる出力軸（ウォームホイール１２）の回転角度の検出精度を向上させることができる。その結果、リンク機構を介して連結されるワイパアーム（ワイパブレード）を所定の停止位置に精度良く停止させることができる。
【００５３】
（７）回転体１５は、略有底筒形状に突出した軸部１５ｃの筒部がユニットプレート１４の周壁部１４ｂに内嵌されて支持されるため、特に回転体１５が第１〜第３固定接点部材２８〜３０による押圧力等を支軸１４ａに対して偏って受けても、回転体１５の回転軸中心が傾き難くなる。よって、可動接点３１と第１〜第３固定接点部材２８〜３０とによる出力軸（ウォームホイール１２）の回転角度の検出精度が更に向上される。
【００５４】
（８）回転支持部（支軸１４ａ及び周壁部１４ｂ）をユニットプレート１４に設けたことから、該ユニットプレート１４をハウジングカバー１３に対して容易にスライド移動可能とすることができる。よって、第１及び第２電源側ターミナル２１，２２及び第１〜第３固定接点ターミナル２３〜２５のコネクタピン部２１ｂ〜２５ｂがコネクタハウジング部１３ｂ内に導出されるように、ユニットプレート１４を容易に組み付けることができる。即ち、回転支持部がハウジングカバーに立設される場合等、その回転支持部が邪魔になりユニットプレートをハウジングカバーに対して閉塞方向とその直交方向といったそれぞれが単純な方向への移動だけでは組み付けることが困難であるが、このようなことがない。
【００５５】
（９）ハウジングカバー１３には、前記コネクタピン部２１ｂ〜２５ｂがコネクタハウジング部１３ｂ内に導出されるように、ユニットプレート１４を閉塞方向の直交方向であって外部コネクタが嵌着される方向（図９中、左斜め下方向であって、前記軸線β２方向）に案内する第１及び第２ガイド壁１３ｃ，１３ｄが形成される。よって、ユニットプレート１４をハウジングカバー１３の第１及び第２ガイド壁１３ｃ，１３ｄと当接させるように配置し、次いで第１及び第２ガイド壁１３ｃ，１３ｄに沿ってスライド移動させるといったそれぞれが単純な動作だけで該ユニットプレート１４をハウジングカバー１３に組み付けることができる。これにより、ユニットプレート１４の組み付け作業が容易となり、例えば自動組み付けを行う場合、その組み付け装置を簡単なものとすることができる。例えば、組み付け装置を、ユニットプレート１４を閉塞方向から第１及び第２ガイド壁１３ｃ，１３ｄ間に移動させ、閉塞方向の直交方向に移動させるだけ（互いに直交する方向のそれぞれが単純な２つの動作のみ）のものとすることができる。しかも、ユニットプレート１４を閉塞方向の直交方向に移動させる際には、第１及び第２ガイド壁１３ｃ，１３ｄに案内されるため、ユニットプレート１４を大凡の方向に付勢可能であればよく、高精度な位置制御を必要としない。
【００５６】
（１０）第１及び第２ガイド壁１３ｃ，１３ｄによる案内終端位置では、ユニット側仮保持部１４ｃとカバー側仮保持部１３ｅとが係合し、ユニットプレート１４のコネクタハウジング部１３ｂ側端部がコネクタハウジング部１３ｂに嵌挿されることでユニットプレート１４とハウジングカバー１３とが仮保持される。よって、ユニットプレート１４とハウジングカバー１３とを組み付けた状態（ユニットプレート１４が取付けられたハウジングカバー１３をハウジング１１に組み付ける前の状態）において、その取り扱いが容易となる。例えば搬送等を行っても、その組付けが外れることが防止される。
【００５７】
（１１）ユニットプレート１４が固定されたハウジングカバー１３がハウジング１１に固定されると、ユニットプレート１４の一対の係合壁１４ｅ間にハウジング１１の被係合壁１１ｃが嵌合（係合）される。これにより、特に別部材を設けたりすることなく、簡単な構成でユニットプレート１４の前記案内方向の移動を強固に規制（阻止）することができる。
【００５８】
（１２）第１及び第２電源側ターミナル２１，２２のコネクタピン部２１ｂ，２２ｂ（他端）側には、図８（ｂ）に示すように、ユニットプレート１４の一部と係合されるクランク部２１ｄ（係合支持部）が屈曲形成されている。よって、外部コネクタの嵌着時にかかる力はクランク部２１ｄにて受けられ、第１及び第２電源側ターミナル２１，２２のモータ接続部２１ａ，２２ａ側が撓んだり歪んだり破損することは防止される。更に、ユニットプレート１４の前記案内方向の移動を阻止するための前記係合壁１４ｅは、コネクタハウジング部１３ｂに隣接（クランク部２１ｄに隣接）して設けられるため、外部コネクタの嵌着時にユニットプレート１４全体に大きな力がかかることは防止される。これにより、例えば、前記ユニット側仮保持部１４ｃ等、ユニットプレート１４の強度の低い部位に大きな力がかかることは防止され、ユニットプレート１４が撓んだり歪んだり破損することは防止される。又、外部コネクタの嵌着時にコネクタピン部２１ｂ，２２ｂが受ける外力をモータ接続部２１ａ，２２ａ側に伝達しないように係合される係合支持部を、クランク状のクランク部２１ｄとしたため、係合支持部を簡単な形状としながら、外部コネクタの嵌着時にかかる大きな力を確実に受けることができる。
【００５９】
上記実施の形態は、以下のように変更してもよい。
・上記実施の形態では、電気回路部品２１〜２５がユニットプレート１４の収容凹部１４ｆに挿入されることで電気回路部品２１〜２５のスパイク部２１ｇとユニットプレート１４の収容凹部１４ｆとが係合され両部品が保持されるとしたが、他の構成で電気回路部品２１〜２５を保持させるようにしてもよい。このようにしても、上記実施の形態の効果（１）、（３）〜（１２）と同様の効果を得ることができる。
【００６０】
・上記実施の形態では、ユニットプレート１４（雑音防止素子収容凹部１４ｇ）には、ハウジングカバー１３と対向されない面側、即ち可動接点３１との対向面側から第１及び第２コンデンサ２６，２７の存在を視認可能な視認孔１４ｈが形成されるとしたが、視認孔１４ｈが形成されないものに変更してもよい。このようにしても、上記実施の形態の効果（１）、（２）、（４）〜（１２）と同様の効果を得ることができる。又、視認孔１４ｈは雑音防止素子収容凹部１４ｇ毎（コンデンサ毎）に形成されるとしたが、視認の必要な（例えば、仕様によりコンデンサが収容／非収容される）雑音防止素子収容凹部１４ｇにのみ形成してもよい。
【００６１】
・上記実施の形態では、第１及び第２電源側ターミナル２１，２２のリード部２１ｃ，２２ｃには、挿入されることで第１及び第２コンデンサ２６，２７の端子を挟持可能なスリット部２１ｅ，２２ｅが形成されるとしたが、他の構成で第１及び第２コンデンサ２６，２７を接続保持するようにしてもよい。このようにしても、上記実施の形態の効果（１）〜（３）、（６）〜（１２）と同様の効果を得ることができる。
【００６２】
・上記実施の形態では、第１〜第３固定接点部材２８〜３０を除く電気回路部品２１〜２７を、ユニットプレート１４がハウジングカバー１３に組付けられた状態で、ハウジングカバー１３と係合し（その一部が当接し）、その脱落が防止されるようにしたが、他の構成で脱落を防止するようにしてもよい。このようにしても、上記実施の形態の効果（１）〜（４）、（６）〜（１２）と同様の効果を得ることができる。
【００６３】
・上記実施の形態では、第１〜第３固定接点部材２８〜３０を除く電気回路部品２１〜２７は、第１及び第２電源側ターミナル２１，２２、第１〜第３固定接点ターミナル２３〜２５及び第１及び第２コンデンサ２６，２７であるとしたが、他の電気回路部品がユニットプレートに固定されたものに変更してもよい。例えば、ユニットプレートにチョークコイルや半導体素子等の電気回路部品が固定されたものとしてもよい。尚、この場合、チョークコイルや半導体素子等の電気回路部品を、ユニットプレートのハウジングカバー１３と対向される面側、即ち可動接点３１との非対向面側に配置すればよい。このようにしても、第１〜第３固定接点部材２８〜３０を除く電気回路部品（チョークコイルや半導体素子等）と可動接点３１との絶縁性を確保することができる。
【００６４】
・上記実施の形態では、回転体１５に、略有底筒形状に突出した軸部１５ｃを形成し、その軸部１５ｃの筒部をユニットプレート１４の周壁部１４ｂに内嵌させて回転体１５を回転可能に支持したが、他の構成で支持させてもよい。例えば、回転体１５に単なる孔を形成し、ユニットプレート１４に回転支持部としての単なる支軸を形成し、孔に支軸を嵌挿させて回転可能に支持させてもよい。このようにしても、上記実施の形態の効果（１）〜（６）、（８）〜（１２）と同様の効果を得ることができる。
【００６５】
・上記実施の形態では、ユニットプレート１４をハウジングカバー１３に対してスライド移動させて組み付けるものとしたが、第１〜第３固定接点部材２８〜３０が設けられ、且つ回転支持部（支軸１４ａ及び周壁部１４ｂ）が設けられていれば、他の組み付け方法で組み付けられるユニットプレートとしてもよい。このようにしても、上記実施の形態の効果（１）〜（７）と同様の効果を得ることができる。
【００６６】
・上記実施の形態では、ハウジングカバー１３に、コネクタピン部２１ｂ〜２５ｂがコネクタハウジング部１３ｂ内に導出されるようにユニットプレート１４を案内する第１及び第２ガイド壁１３ｃ，１３ｄを形成したが、第１及び第２ガイド壁１３ｃ，１３ｄが形成されていないハウジングカバーに変更してもよい。このようにしても、上記実施の形態の効果（１）〜（８）、（１２）と同様の効果を得ることができる。
【００６７】
・上記実施の形態では、ユニット側仮保持部１４ｃとカバー側仮保持部１３ｅとが係合することと、ユニットプレート１４のコネクタハウジング部１３ｂ側端部がコネクタハウジング部１３ｂに嵌挿されることでユニットプレート１４とハウジングカバー１３とを仮保持させたが、他の構成で仮保持させてもよい。例えば、ユニット側仮保持部１４ｃを弾性変形不能に且つ爪部１４ｄが形成されないものとし、カバー側仮保持部１３ｅと前記閉塞方向のみに係合するものとし、前記ユニットプレート１４のコネクタハウジング部１３ｂ側端部をコネクタハウジング部１３ｂに軽圧入されるものとしてもよい。尚、前記軽圧入とは、搬送等を行ってもコネクタハウジング部１３ｂ側端部がコネクタハウジング部１３ｂから抜けない程度の圧入である。又、ユニット側仮保持部１４ｃを弾性変形不能且つ爪部１４ｄが形成されないものとし、カバー側仮保持部１３ｅと軽圧入（搬送等を行っても抜けない程度の圧入）されるものとしてもよい。このようにしても、ユニットプレート１４とハウジングカバー１３とを仮保持させることができる。又、ユニット側仮保持部の形状を単純なものとすることができ、容易に形成することができる。又、上記実施の形態のユニット側仮保持部１４ｃは弾性変形可能に延設されるため、ユニットプレート１４全体を所定の剛性を有する材料にて形成する必要があるが、上記のように弾性変形不能に形成する場合、比較的低い剛性の材料とすることができる。
【００６８】
・上記実施の形態では、ハウジングカバー１３がハウジング１１に固定されると、ユニットプレート１４の一対の係合壁１４ｅ間にハウジング１１の被係合壁１１ｃが嵌合されるとしたが、ハウジングカバー１３にてハウジング１１を閉塞することで前記案内方向の移動が阻止されれば、他の構成に変更してもよい。このようにしても、上記実施の形態の効果と同様の効果を得ることができる。又、ハウジングカバー１３にてハウジング１１を閉塞することによるものに関わらず、ユニットプレート１４の前記案内方向の移動を阻止する構成のものに変更してもよい。
【００６９】
・上記実施の形態のクランク部２１ｄは、外部コネクタの嵌着時にコネクタピン部２１ｂ，２２ｂが受ける外力をモータ接続部２１ａ，２２ａ側に伝達しないようにユニットプレート１４と係合されれば、他の形状
（構成）の係合支持部に変更してもよい。例えば、係合支持部を平板状金属板の幅方向に延設されユニットプレート１４と係合される延設係合部としてもよい。このようにしても、第１及び第２電源側ターミナルのモータ接続部側が撓んだり歪んだり破損することは防止される。
【００７０】
・上記実施の形態では、車両用ワイパ装置のワイパ用モータに具体化したが、他の装置に用いられるモータに具体化してもよい。又、可動接点３１と第１〜第３固定接点部材２８〜３０とは出力軸（ウォームホイール１２）の回転角度を検出するとともにモータ本体２への給電を直接制御するスイッチとしたが、他の装置に用いる場合等、単に出力軸の回転角度を検出して、その検出信号を外部の制御装置に出力するためのものであってもよい。
【００７１】
上記実施形態から把握できる技術的思想について、以下にその効果とともに記載する。
（イ）前記ユニットプレートと前記ハウジングと前記ハウジングカバーが組付けられた状態で、前記固定接点部材を除く前記電気回路部品は前記ハウジングカバー又は前記ハウジングと係合し、その脱落が防止される。このようにすると、固定接点部材を除く電気回路部品の脱落を、特に別部材を設けることなく防止することができる。
【００７２】
【発明の効果】
以上詳述したように、請求項１〜４に記載の発明によれば、電気回路部品が固定されたユニットプレートと可動接点とを備えたモータにおいて、小型化を図りながら、絶縁性を確保することができるモータを提供することができる。
【００７３】
又、請求項５に記載の発明によれば、電気回路部品が固定されたユニットプレートと可動接点とを備えたワイパ用モータにおいて、小型化を図りながら、絶縁性を確保することができるワイパ用モータを提供することができる。
【図面の簡単な説明】
【図１】本実施の形態のモータを示す外観図。
【図２】本実施の形態のハウジングを説明するための説明図。
【図３】本実施の形態のハウジングカバー側部材を説明するための説明図。
【図４】本実施の形態のハウジングカバーを説明するための説明図。
【図５】図４のＢ−Ｂ断面図。
【図６】本実施の形態のユニットプレートを説明するための説明図。
【図７】本実施の形態のユニットプレートを説明するための説明図。
【図８】（ａ）本実施の形態の第１電源側ターミナルの平面図。（ｂ）同じく第１電源側ターミナルの側面図。
【図９】ハウジングカバーとユニットプレートを説明するための説明図。
【図１０】ハウジングカバーとユニットプレートを説明するための説明図。
【図１１】図３のＡ−Ａ断面図。
【図１２】本実施の形態の電気的な構成を示す回路図。
【符号の説明】
２…モータ本体、８…減速機構の一部を構成するウォーム、１１…ハウジング、１２…減速機構の一部を構成するウォームホイール、１３…ハウジングカバー、１３ｂ…コネクタハウジング部、１４…ユニットプレート、１４ｆ…係合保持部の一部を構成する収容凹部、１４ｇ…雑音防止素子収容凹部（配置可能位置）、１４ｈ…視認孔、１５…回転体、２１，２２…第１及び第２電源側ターミナル、２１ａ，２２ａ…モータ接続部、２１ｂ，２２ｂ…コネクタピン部、２１ｃ，２２ｃ…リード部、２１ｅ，２２ｅ…スリット部、２１ｇ…係合保持部の一部を構成するスパイク部、２１〜３０…電気回路部品、２６，２７…第１及び第２コンデンサ（雑音防止素子）、２８〜３０…第１〜第３固定接点部材、２８ｂ〜３０ｂ…接触部、３１…可動接点。
【図１】
0003645543.tif 000002
【図２】
0003645543.tif 000003
【図３】
0003645543.tif 000004
【図４】
0003645543.tif 000005
【図５】
0003645543.tif 000006
【図６】
0003645543.tif 000007
【図７】
0003645543.tif 000008
【図８】
0003645543.tif 000009
【図９】
0003645543.tif 000010
【図１０】
0003645543.tif 000011
【図１１】
0003645543.tif 000012
【図１２】
0003645543.tif 000013